(57)【要約】【課題】  画像記録再生装置において、撮影においてはユーザが何について分類したかの説明を撮影している場所で入力でき、また再生においては分類が変わるごとにその説明を音声にて確認できるようにすること。【解決手段】  ユーザが録音ボタンを操作して音声により説明を行うと、その説明が音声データとして新しく作られたディレクトリに格納され、ディレクトリの説明として関連付けられる。以後、撮影すると画像データは、この新しいディレクトリに格納される。また、再生においては、カレントディレクトリが変わるごとに、そのディレクトリの音声データを再生するようになっている。【選択図】        図１
2005260661.tif 000002
【特許請求の範囲】
【請求項１】
記録媒体に音声データを格納するときには、まず、その記録媒体にディレクトリを作成して、そのディレクトリに前記音声データを格納して、前記記録媒体に画像データを格納するときには、前記ディレクトリにその画像データを格納するように制御する制御手段を設けたことを特徴とする画像記録再生装置。
【請求項２】
記録媒体に格納されている画像データを再生するときには、まず、その画像データの属するディレクトリに属する音声データを再生して、同時またはその後に前記画像データを再生するように制御する制御手段を設けたことを特徴とする画像記録再生装置。
【請求項３】
再生する画像データの属するディレクトリが、以前再生していた画像データの属するディレクトリと異なる場合においてのみ、その画像データの属するディレクトリに属する音声データを再生することを特徴とする請求項２記載の画像記録再生装置。
【請求項４】
記録媒体に音声データを格納するときには、まず、その記録媒体にディレクトリを作成して、そのディレクトリに前記音声データを格納して、前記記録媒体に画像データを格納するときには、前記ディレクトリにその画像データを格納して、そして、記録媒体に格納されている画像データを再生するときには、まず、その画像データの属するディレクトリに属する音声データを再生して、同時またはその後に前記画像データを再生するように制御する制御手段を設けたことを特徴とする画像記録再生装置。
【請求項５】
再生する画像データの属するディレクトリが、以前再生していた画像データの属するディレクトリと異なる場合においてのみ、その画像データの属するディレクトリに属する音声データを再生することを特徴とする請求項４記載の画像記録再生装置。
【請求項６】
記録媒体に音声データを格納するときには、まず、その記録媒体にディレクトリを作成して、そのディレクトリに前記音声データを格納して、前記記録媒体に画像データを格納するときには、前記ディレクトリにその画像データを格納することを特徴とする画像記録再生方法。
【請求項７】
記録媒体に格納されている画像データを再生するときには、まず、その画像データの属するディレクトリに属する音声データを再生して、同時またはその後に前記画像データを再生することを特徴とする画像記録再生方法。
【請求項８】
再生する画像データの属するディレクトリが、以前再生していた画像データの属するディレクトリと異なる場合においてのみ、その画像データの属するディレクトリに属する音声データを再生することを特徴とする請求項７記載の画像記録再生方法。
【請求項９】
記録媒体に音声データを格納するときには、まず、その記録媒体にディレクトリを作成して、そのディレクトリに前記音声データを格納して、前記記録媒体に画像データを格納するときには、前記ディレクトリにその画像データを格納する、そして、記録媒体に格納されている画像データを再生するときには、まず、その画像データの属するディレクトリに属する音声データを再生して、同時またはその後に前記画像データを再生することを特徴とする画像再生記録方法。
【請求項１０】
再生する画像データの属するディレクトリが、以前再生していた画像データの属するディレクトリと異なる場合においてのみ、その画像データの属するディレクトリに属する音声データを再生することを特徴とする請求項９記載の画像記録再生方法。
【発明の詳細な説明】
【技術分野】
【０００１】
本発明は、いわゆる電子スチルカメラまたはデジタルカメラに関するものである。
【背景技術】
【０００２】
従来は、ディレクトリを使った画像データの分類・整理といった作業はユーザが手動で行っていた。
【特許文献１】特開２００１−５７０５６号公報
【発明の開示】
【発明が解決しようとする課題】
【０００３】
しかしながら、何について分類されたかの説明を撮影している場所で入力することは困難であった。さらに、操作の手順がどうしても多くなってしまうので、短時間に画像データを分類・整理することができなかった。
【０００４】
本発明は、上記の問題点に着目してなされたものであって、撮影においては、ユーザが何について分類したかの説明を撮影している場所で入力することができ、また、再生においては、分類が変わるごとに、その説明を音声にて確認することのできる画像記録再生装置および方法の提供を目的とする。
【課題を解決するための手段】
【０００５】
本発明のデジタルカメラによれば、録音ボタンを操作して、音声により新しいディレクトリの説明を行い、その説明を新しく作ったディレクトリに格納することで、ディレクトリとディレクトリの説明を一対一に対応させて保存する。以後、撮影する画像は、この新しいディレクトリに格納されていくようにしている。また、再生においては、カレントディレクトリが変わるごとに、そのディレクトリの音声データを再生するようになっている。
【０００６】
上記の構成を、改めて以下（１）〜（１０）に整理して示す。
【０００７】
（１）記録媒体に音声データを格納するときには、まず、その記録媒体にディレクトリを作成して、そのディレクトリに前記音声データを格納して、前記記録媒体に画像データを格納するときには、前記ディレクトリにその画像データを格納するように制御する制御手段を設けた画像記録再生装置。
【０００８】
（２）記録媒体に格納されている画像データを再生するときには、まず、その画像データの属するディレクトリに属する音声データを再生して、同時またはその後に前記画像データを再生するように制御する制御手段を設けた画像記録再生装置。
【０００９】
（３）再生する画像データの属するディレクトリが、以前再生していた画像データの属するディレクトリと異なる場合においてのみ、その画像データの属するディレクトリに属する音声データを再生する前項（２）記載の画像記録再生装置。
【００１０】
（４）記録媒体に音声データを格納するときには、まず、その記録媒体にディレクトリを作成して、そのディレクトリに前記音声データを格納して、前記記録媒体に画像データを格納するときには、前記ディレクトリにその画像データを格納して、そして、記録媒体に格納されている画像データを再生するときには、まず、その画像データの属するディレクトリに属する音声データを再生して、同時またはその後に前記画像データを再生するように制御する制御手段を設けた画像記録再生装置。
【００１１】
（５）再生する画像データの属するディレクトリが、以前再生していた画像データの属するディレクトリと異なる場合においてのみ、その画像データの属するディレクトリに属する音声データを再生する前項（４）記載の画像記録再生装置。
【００１２】
（６）記録媒体に音声データを格納するときには、まず、その記録媒体にディレクトリを作成して、そのディレクトリに前記音声データを格納して、前記記録媒体に画像データを格納するときには、前記ディレクトリにその画像データを格納する画像記録再生方法。
【００１３】
（７）記録媒体に格納されている画像データを再生するときには、まず、その画像データの属するディレクトリに属する音声データを再生して、同時またはその後に前記画像データを再生する画像記録再生方法。
【００１４】
（８）再生する画像データの属するディレクトリが、以前再生していた画像データの属するディレクトリと異なる場合においてのみ、その画像データの属するディレクトリに属する音声データを再生する前項（７）記載の画像記録再生方法。
【００１５】
（９）記録媒体に音声データを格納するときには、まず、その記録媒体にディレクトリを作成して、そのディレクトリに前記音声データを格納して、前記記録媒体に画像データを格納するときには、前記ディレクトリにその画像データを格納する、そして、記録媒体に格納されている画像データを再生するときには、まず、その画像データの属するディレクトリに属する音声データを再生して、同時またはその後に前記画像データを再生する画像再生記録方法。
【００１６】
（１０）再生する画像データの属するディレクトリが、以前再生していた画像データの属するディレクトリと異なる場合においてのみ、その画像データの属するディレクトリに属する音声データを再生する前項（９）記載の画像記録再生方法。
【発明の効果】
【００１７】
本発明によれば、ユーザが録音ボタンを操作して音声により説明を行うと、その説明が音声データとして新しく作られたディレクトリに格納され、ディレクトリの説明として関連付けられる。以後、撮影すると画像データは、この新しいディレクトリに格納される。また、再生においては、カレントディレクトリが変わるごとに、そのディレクトリの音声データを再生するようになっている。これらの動作により、ユーザが何について分類したかの説明を撮影している場所で入力することが容易となった。さらに、操作の手順が簡単であるので、短時間に画像データを分類・整理することができるようになった。また、再生においては、分類が変わるごとに、その説明を音声にて確認することができるようになった。
【発明を実施するための最良の形態】
【００１８】
以下、本発明の基本的な構成とした実施例を、図面を用いて詳細に説明する。
【実施例】
【００１９】
図１を用いて本発明によるデジタルカメラの構成を説明する。図１は、本発明によるデジタルカメラの構成を説明するための図である。
【００２０】
図１において、１はデジタルカメラの本体、２は着脱可能なフラッシュメモリカード、１００はレンズ、１１０は撮像素子、１２０は撮像処理回路、１３０は静止画像のデータを格納するための画像メモリ、１４０はユーザーインターフェースの表示データを格納するための表示メモリ、１５０は画像メモリ１３０のデータと表示メモリ１４０のデータを選択または合成して表示するための表示回路、１６０は表示回路１５０からの合成された画像を表示するための表示器、２００はマイクロフォン、２１０は音声処理回路、２２０は音声データを格納するための音声メモリ、２３０は音声再生回路、２４０はスピーカ、３００は画像データや音声データをフラッシュメモリカード２から読み出し、またはフラッシュメモリカード２に書き込むための制御を行うカード制御回路、３１０はフラッシュメモリカード２を装着するためのメモリカードスロット、４００はシステム全体の動作を制御するシステムコントローラ、４１０は本体の動作モードを設定するためのモードセレクタ、４２０は撮影モードのときには撮影を指示するため、また、再生モードのときには送り動作を指示するための撮影・送りボタン、４３０は撮影モードのときには録音を指示するため、また、再生モードのときには次のディレクトリに飛ばすことを指示するための録音・飛ばしボタンである。
【００２１】
まず、撮影モードの各ブロックの動作について説明する。
【００２２】
システムコントローラ４００は、モードセレクタ４１０が撮影モードポジションに切り替えられると撮影モードに設定される。
【００２３】
撮像処理回路１２０は、電源が供給され動作状態になっている撮像素子１１０から信号を取り出し、適切な撮像処理と画像処理を行い生成された画像データを画像メモリ１３０に格納する動作を継続して行う。
【００２４】
システムコントローラ４００は、残り撮影可能枚数などの撮影に関連する情報を表示形式に変換して表示メモリ１４０に格納する。
【００２５】
表示回路１５０は、画像メモリ１３０から読み出した現在の撮像している画像と、表示メモリ１４０から読み出した現在の撮影に関連する情報を合成して表示信号を生成して、表示器１６０に表示する動作を継続して行う。
【００２６】
撮像処理回路１２０および表示回路１５０が、継続して動作することにより、撮像素子１１０において撮像している連続した画像を表示器１６０に写すことができる。
【００２７】
次に、撮影の準備に関する各ブロックの動作について説明する。
【００２８】
カード制御回路３００は、デジタルカメラ本体１に備えられたメモリカードスロット３１０にフラッシュメモリカード２が装着されると、そのカードのデータの一部を読み出し利用可能であることを確認する。
【００２９】
そして、装着されたフラッシュメモリカード２が利用可能であるときには、その旨をシステムコントローラ４００に通知する。
【００３０】
システムコントローラ４００は、まず、最初のディレクトリを検索する命令をカード制御回路３００に送る。
【００３１】
カード制御回路３００は、メモリカードスロット３１０に装着されているフラッシュメモリカード２の内容を読み出し、カード内に存在する最初のディレクトリの検索して、そのディレクトリをカレントディレクトリに設定する。
【００３２】
次に、撮影するときの各ブロックの動作を説明する。
【００３３】
システムコントローラ４００は、ユーザが撮影・送りボタン４２０を操作すると、画像データを格納する命令をカード制御回路３００に送る。
【００３４】
カード制御回路３００は、画像データを格納する命令を受けると、画像メモリ１３０に格納されている画像データを取り出す。
【００３５】
そして、メモリカードスロット３１０に装着されているフラッシュメモリカード２のカレントディレクトリにその画像データを格納する。
【００３６】
システムコントローラ４００は、ユーザが撮影・送りボタン４２０を操作するたびに上記の動作を繰り返す。
【００３７】
この時点でのフラッシュメモリカード２の内容を図２Ａに示す。
【００３８】
ディレクトリ５１０には、あらかじめ格納されていた音声データ６１０および上記動作の繰り返しにより格納された画像データ７１０〜７３０が格納されている。
【００３９】
次に、音声を記録して新たなディレクトリを作成するときの各ブロックの動作を説明する。
【００４０】
システムコントローラ４００は、録音・飛ばしボタン４３０を操作すると、音声処理回路２１０に所定時間の録音を行う命令を送る。
【００４１】
音声処理回路２１０は、音声処理回路に所定時間の録音を行う命令を受けると、マイクロフォン２００から入力された所定時間の音声信号に適切な音声処理を行い生成された音声データを音声メモリ２２０に格納する。
【００４２】
システムコントローラ４００は、新しいディレクトリを作る命令をカード制御回路３００に送る。
【００４３】
カード制御回路３００は、メモリカードスロット３１０に装着されているフラッシュメモリカード２の内容を読み出し、カード内に存在しない新しいディレクトリの名称を生成して、その名称で新しいディレクトリを作り、そのディレクトリをカレントディレクトリに設定する。
【００４４】
システムコントローラ４００は、音声データを格納する命令をカード制御回路３００に送る。
【００４５】
カード制御回路３００は、音声データを格納する命令を受けると、音声メモリ２２０に格納されている音声データを取り出す。
【００４６】
そして、メモリカードスロット３１０に装着されているフラッシュメモリカード２のカレントディレクトリにその音声データを格納する。
【００４７】
この時点でのフラッシュメモリカード２の内容を図２Ｂに示す。
【００４８】
図２Ａの状態に対して、新しく設けられたディレクトリ５２０およびそのディレクトリが設けられたときに記録された音声データ６２０が格納されている。
【００４９】
次に、その後、撮影するときの各ブロックの動作について説明する。
【００５０】
システムコントローラ４００は、ユーザが撮影・送りボタン４２０を操作すると、画像データを格納する命令をカード制御回路３００に送る。
【００５１】
カード制御回路３００は、画像データを格納する命令を受けると、画像メモリ１３０に格納されている画像データを取り出す。
【００５２】
そして、メモリカードスロット３１０に装着されているフラッシュメモリカード２のカレントディレクトリにその画像データを格納する。
【００５３】
システムコントローラ４００は、ユーザが撮影・送りボタン４２０を操作するたびに上記の動作を繰り返す。
【００５４】
この時点でのフラッシュメモリカード２の内容を図２Ｃに示す。
【００５５】
図２Ｂの状態に対して、さらに、ディレクトリ５２０に画像データ７４０〜７６０が格納されている。
【００５６】
最終的に、フラッシュメモリカード２には、ディレクトリ５１０およびディレクトリ５２０が格納されている。
【００５７】
ディレクトリ５１０には、あらかじめ格納されていた音声データ６１０および撮影により画像データ７１０〜７３０が格納されている。
【００５８】
また、ディレクトリ５２０には、新たに記録した音声データ６２０および撮影により画像データ７４０〜７６０が格納されている。
【００５９】
ここで、音声データ６１０はディレクトリ５１０の説明を、そして、音声データ６２０はディレクトリ５２０の説明を、それぞれ格納している。
【００６０】
続けて、再生モードの各ブロックの動作について説明する。
【００６１】
システムコントローラ４００は、モードセレクタ４１０が再生モードポジションに切り替えられると再生モードに設定される。
【００６２】
撮像素子１１０、撮像処理回路１２０、マイクロフォン２００、および音声処理回路２１０は、再生動作には必要がないので電源が供給されない。
【００６３】
次に、再生の準備に関する各ブロックの動作について説明する。
【００６４】
システムコントローラ４００は、まず、最初のディレクトリを検索する命令をカード制御回路３００に送る。
【００６５】
カード制御回路３００は、メモリカードスロット３１０に装着されているフラッシュメモリカード２の内容を読み出し、カード内に存在する最初のディレクトリの検索して、そのディレクトリをカレントディレクトリに設定する。
【００６６】
システムコントローラ４００は、音声データを読み出す命令をカード制御回路３００に送る。
【００６７】
カード制御回路３００は、メモリカードスロット３１０に装着されているフラッシュメモリカード２のカレントディレクトリから音声データを読み出し、音声メモリ２２０に格納する。
【００６８】
システムコントローラ４００は、音声再生回路２３０に音声メモリ２２０に格納されている音声データを再生する命令を送る。
【００６９】
音声再生回路２３０は、音声データを再生する命令を受けると音声メモリ２２０から音声データを読み出し、音声信号に変換してスピーカ２４０を駆動する。
【００７０】
次に、再生するときの各ブロックの動作を説明する。
【００７１】
システムコントローラ４００は、カレントディレクトリの最初の画像データを読み出す命令をカード制御回路３００に送る。
【００７２】
カード制御回路３００は、メモリカードスロット３１０に装着されているフラッシュメモリカード２のカレントディレクトリにおいて最初の画像データを読み出し、画像メモリ１３０に格納する。
【００７３】
システムコントローラ４００は、再生する画像に関連する情報を表示形式に変換して表示メモリ１４０に格納する。
【００７４】
そして、表示回路１５０に画像メモリ１３０に格納されている画像データを表示する命令を送る。
【００７５】
表示回路１５０は、画像メモリ１３０から読み出した現在の撮像している画像と、表示メモリ１４０から読み出した現在の再生する画像に関連する情報を合成して表示信号を生成して、表示器１６０に表示する。
【００７６】
システムコントローラ４００は、ユーザが撮影・送りボタン４２０を操作すると、カレントディレクトリの次の画像データを読み出す命令をカード制御回路３００に送る。
【００７７】
カード制御回路３００は、メモリカードスロット３１０に装着されているフラッシュメモリカード２のカレントディレクトリにおける次の画像データを読み出し、画像メモリ１３０に格納する。
【００７８】
システムコントローラ４００は、再生する画像に関連する情報を表示形式に変換して表示メモリ１４０に格納する。
【００７９】
そして、表示回路１５０に画像メモリ１３０に格納されている画像データを表示する命令を送る。
【００８０】
表示回路１５０は、画像メモリ１３０から読み出した現在の撮像している画像と、表示メモリ１４０から読み出した現在の再生する画像に関連する情報を合成して表示信号を生成して、表示器１６０に表示する。
【００８１】
システムコントローラ４００は、ユーザが撮影・送りボタン４２０を操作するたびに以上の動作を繰り返す。
【００８２】
次に、カレントディレクトリの画像をすべて再生した場合の各ブロックの動作を説明する。
【００８３】
システムコントローラ４００は、ユーザが撮影・送りボタン４２０を操作すると、カレントディレクトリの次の画像データを読み出す命令をカード制御回路３００に送る。
【００８４】
カード制御回路３００は、次の画像データがなく読み出せないので、システムコントローラ４００に、これ以上画像がないという情報を返す。
【００８５】
システムコントローラ４００は、カード制御回路３００からこれ以上画像がないという情報を返されたので、カレントディレクトリの次のディレクトリを検索する命令をカード制御回路３００に送る。
【００８６】
カード制御回路３００は、カレントディレクトリの次のディレクトリを検索する命令を受けると、カレントディレクトリの次のディレクトリを検索する。
【００８７】
そして、カレントディレクトリの次のディレクトリを検索することに成功した場合には、そのディレクトリをカレントディレクトリに設定する。
【００８８】
以後、システムコントローラ４００は、音声データを再生する動作に戻り、それ以降の動作を繰り返す。
【００８９】
カード制御回路３００は、カレントディレクトリの次のディレクトリを検索することに失敗した場合には、システムコントローラ４００に、これ以上ディレクトリがないという情報を返す。
【００９０】
システムコントローラ４００は、カード制御回路３００からこれ以上ディレクトリがないという情報を返された場合には、最初のディレクトリを検索する命令をカード制御回路３００に送る。
【００９１】
以後、システムコントローラ４００は、音声データを再生する動作に戻り、それ以降の動作を繰り返す。
【００９２】
次に、次のディレクトリに再生を飛ばすときの各ブロックの動作を説明する。
【００９３】
システムコントローラ４００は、ユーザが録音・飛ばしボタン４３０を操作すると、カレントディレクトリの次のディレクトリを検索する命令をカード制御回路３００に送る。
【００９４】
カード制御回路３００は、カレントディレクトリの次のディレクトリを検索する命令を受けると、カレントディレクトリの次のディレクトリを検索する。
【００９５】
そして、カレントディレクトリの次のディレクトリを検索することに成功した場合には、そのディレクトリをカレントディレクトリに設定する。
【００９６】
以後、システムコントローラ４００は、音声データを再生する動作に戻り、それ以降の動作を繰り返す。
【００９７】
カード制御回路３００は、カレントディレクトリの次のディレクトリを検索することに失敗した場合には、システムコントローラ４００に、これ以上ディレクトリがないという情報を返す。
【００９８】
システムコントローラ４００は、カード制御回路３００からこれ以上ディレクトリがないという情報を返された場合には、最初のディレクトリを検索する命令をカード制御回路３００に送る。
【００９９】
カード制御回路３００は、メモリカードスロット３１０に装着されているフラッシュメモリカード２の内容を読み出し、カード内に存在する最初のディレクトリの検索して、そのディレクトリをカレントディレクトリに設定する。
【０１００】
以後、システムコントローラ４００は、音声データを再生する動作に戻り、それ以降の動作を繰り返す。
【図面の簡単な説明】
【０１０１】
【図１】本発明の実施例の構成を説明するための図である。
【図２Ａ】メモリカードに格納されるデータおよびデータ構造を説明するための図である。
【図２Ｂ】メモリカードに格納されるデータおよびデータ構造を説明するための図である。
【図２Ｃ】メモリカードに格納されるデータおよびデータ構造を説明するための図である。
【符号の説明】
【０１０２】
１  本体
２  フラッシュメモリカード
１００  レンズ
１１０  撮像素子
１２０  撮像処理回路
１３０  画像メモリ
１４０  表示メモリ
１５０  表示回路
１６０  表示器
２００  マイクロフォン
２１０  音声処理回路
２２０  音声メモリ
２３０  音声再生回路
２４０  スピーカ
３００  カード制御回路
３１０  メモリカードスロット
４００  システムコントローラ
４１０  モードセレクタ
４２０  撮影・送りボタン
４３０  録音・飛ばしボタン
５００  ルートディレクトリ
５１０、５２０  ディレクトリ
６１０、６２０  音声データ
７１０〜７６０  画像データ
【図１】
2005260661.tif 000003
【図２Ａ】
2005260661.tif 000004
【図２Ｂ】
2005260661.tif 000005
【図２Ｃ】
2005260661.tif 000006